(57)【要約】【課題】回答欄を自由に配置できると共に、マーキングが簡易となるマークシートを提供する。【解決手段】用紙２０と、用紙２０に印刷された複数の選択肢Ａ，Ｂ，Ｃと、用紙２０に印刷され、複数の選択肢Ａ，Ｂ，Ｃに対応してそれぞれ配置された一対の分離された書込端子ＷＴ１，ＷＴ２と、用紙２０に印刷され、書込端子ＷＴ１，ＷＴ２に繋がる配線Ｗ１，Ｗ２，Ｗ３と、用紙２０に印刷され、配線Ｗ１，Ｗ２，Ｗ３の端部に繋がって配置された複数の読取端子ＲＴ１，ＲＴ２，ＲＴ３とを含み、書込端子ＷＴ１，ＷＴ２、配線Ｗ１，Ｗ２，Ｗ３及び読取端子ＲＴ１，ＲＴ２，ＲＴ３は導電性物質から印刷され、一対の書込端子ＷＴ１，ＷＴ２を筆記用具の黒鉛芯で繋げて電気的に接続することにより選択肢Ａ，Ｂ，Ｃを選択する。【選択図】図２
2010176463.tif 000002
【特許請求の範囲】
【請求項１】
用紙と、
前記用紙に印刷された複数の選択肢と、
前記用紙に印刷され、前記複数の選択肢にそれぞれ対応して配置された一対の分離された書込端子と、
前記用紙に印刷され、前記書込端子に繋がる配線と、
前記用紙に印刷され、前記配線の端部に繋がって配置された読取端子とを有し、
前記書込端子、前記配線及び前記読取端子は導電性物質から印刷され、前記一対の書込端子を筆記用具の黒鉛芯で繋げて電気的に接続することにより前記選択肢を選択することを特徴とするマークシート。
【請求項２】
前記用紙は普通紙であって、前記用紙には、前記選択肢を選択するための質問が印刷されており、
前記前記書込端子、前記配線、前記読取端子、前記質問及び前記選択肢の各記載は、印刷されたカーボンブラックからなることを特徴とする請求項１に記載のマークシート。
【請求項３】
前記読取端子は、前記用紙の一端側の読取領域にまとめて配置されていることを特徴とする請求項１又は２に記載のマークシート。
【請求項４】
前記配線は複数の前記書込端子に繋がる共通配線となっており、前記配線の本数は前記書込端子の数より少ないことを特徴とする請求項１又は２に記載のマークシート。
【請求項５】
前記読取領域の近傍には、前記読取領域に読取装置を位置合わせして配置するための位置合わせマークが印刷されていることを特徴とする請求項３に記載のマークシート。
【請求項６】
請求項１乃至５のいずれかのマークシートの前記読取端子に接続してデータを読み取る読取装置であって、
筐体と、
前記筐体の一方の面に配置され、前記読取装置を前記マークシートに配置する際に、複数の前記読取端子に対応して接触する複数の電極と、
前記筐体に設けられ、前記複数の電極に接続されて前記複数の読取端子の中の一対の前記読取端子の間の導通チェックを行う導通チェック部と、
前記筐体に設けられ、前記導通チェック部で得られたデータを計算機に送信するデータ送信部とを有することを特徴とする読取装置。
【請求項７】
前記読取装置は、支持板の一端側にクリップ機能をもって連結されており、前記支持板の上に配置された前記マークシートが前記読取装置で固定されることを特徴とする請求項６に記載の読取装置。
【請求項８】
前記筐体の前記電極が設けられた面と反対面に、前記読取装置の前記電極が前記マークシートの前記読取端子に接触したことを確認するためのインジケータが設けられていることを特徴とする請求項６に記載の読取装置。
【請求項９】
前記マークシートの前記読取端子は、前記用紙の一端側の読取領域にまとめて配置されており、前記読取装置は前記マークシートの前記読取領域に固定され、
前記マークシートの回答中に前記読取装置で前記マークシートのデータを読み取ることを特徴とする請求項７に記載の読取装置。
【発明の詳細な説明】
【技術分野】
【０００１】
本発明はマークシート及び読取装置に係り、さらに詳しくは、回答用紙やアンケート用紙などに適用できるマークシート及びそのデータを読み取るための読取装置に関する。
【背景技術】
【０００２】
従来、回答用紙やアンケート用紙などに適用されるマークシートがある。図１には回答用紙としてのマークシートの一例が示されている。図１に示すように、マークシートでは、用紙１００に、質問番号欄２００とそれらに対応する長円状の複数のマーク部３００が配置された回答欄４００とが印刷されており、各質問に対して回答欄４００のマーク部３００を選択して鉛筆で塗りつぶして回答する。
【０００３】
回答されて回収されたマークシートでは、光学式の読取装置によって反射率の違いから各回答欄４００のマーク部３００の塗りつぶしの有無が判断される。マークシートの端部には位置合わせマークＭが印刷されており、回答欄４００の塗りつぶされたマーク部３００の位置が位置合わせマークＭを基準位置として相対的に特定される。
【０００４】
特許文献１には、任意の設問数及び選択肢に対応できるマークシート答案を作成するためのマークシートの作成プログラムについて記載されている。
【先行技術文献】
【特許文献】
【０００５】
【特許文献１】特開２００４−９０４５５号公報
【発明の概要】
【発明が解決しようとする課題】
【０００６】
前述した従来技術のマークシートを使用する場合、位置合わせマークＭ及び塗りつぶされたマーク部３００を読取装置によって選択的に検出する必要があることから、検出領域内の質問番号欄２００及び回答欄４００（マーク部３００）は薄く印刷する必要がある。
【０００７】
従って、回答欄４００が印刷された用紙１００に質問の記載を濃く印刷することは困難であるため、質問の内容と回答欄を別の用紙に分けて記載することが多い。このため、質問の内容と回答欄が離れてしまうので、質問番号とは違う回答欄４００のマーク部３００を間違って塗りつぶすことがある。
【０００８】
図１の例では、回答欄４００のＡ、Ｂ、Ｃのいずれかのマーク部３００を鉛筆で塗りつぶして回答する。このとき、塗りつぶしがマーク部３００からはみ出したり、十分でなかったり、マーク部３００の周囲が汚れたりすると誤検知することがあり、丁寧な塗りつぶし作業を強いられ、記入や修正に時間がかかってしまう。
【０００９】
さらには、光学式の読取装置は、マークシートの位置合わせマークＭを検出すると共に、回答欄４００の塗りつぶされたマーク部３００を検出する必要があるため、マークシートの短辺より広い読取幅を有する必要があり、手帳サイズのような小型化が困難である。
【００１０】
また、従来技術のマークシートでは、折りじわが回答欄４００のマーク部３００の位置精度に影響するため、厚手の専用用紙を使用したり、用紙の角部を丸めたり、用紙サイズを小さくしたりするなどの制限が必要となる。
【００１１】
また、マークシートの回答欄４００の全体を読取装置に配置してデータを検出するので、読取装置にマークシートをセットした状態で回答を行うことは不可能である。マークシートに回答を書きこみながら読取ができるシステムが求められている。
【００１２】
本発明は以上の課題を鑑みて創作されたものであり、回答欄を自由に配置できると共に、マーキングが簡易となるマークシート及び小型化を図れる読取装置を提供することを目的とする。
【課題を解決するための手段】
【００１３】
上記課題を解決するため、本発明はマークシートに係り、用紙と、前記用紙に印刷された複数の選択肢と、前記用紙に印刷され、前記複数の選択肢にそれぞれ対応して配置された一対の分離された書込端子と、前記用紙に印刷され、前記書込端子に繋がる配線と、前記用紙に印刷され、前記配線の端部に繋がって配置された読取端子とを有し、前記書込端子、前記配線及び前記読取端子は導電性物質から印刷され、前記一対の書込端子を筆記用具の黒鉛芯で繋げて電気的に接続することにより前記選択肢を選択することを特徴とする。
【００１４】
本発明のマークシートでは、回答用の複数の選択肢に対応して一対の分離された書込端子がそれぞれ印刷されている。さらに、各書込端子に繋がる配線と、配線の端部に繋がる読取端子が用紙に印刷されている。書込端子、配線及び読取端子は導電性物質から印刷される。好適には、普通紙にレーザプリンタなどによって書込端子、配線及び読取端子が印刷される。
【００１５】
そして、質問に対して回答する際に、選択する選択肢に対応する一対の書込端子を鉛筆などで線を引いて繋げる。鉛筆の芯は導電性の黒鉛からなるので、一対の書込端子が電気的に接続され、選択した一対の書込端子に繋がる各配線は一本の配線となる。
【００１６】
選択した選択肢に対応する配線の端部の一対の読取端子の間で導通チェックすると、導通していることが確認されるので、その選択肢を選択したことが分るようになっている。
【００１７】
選択しなかった選択肢では、一対の書込端子はオープンとなってそれらに繋がる配線は導通しないので選択されていないことが分る。
【００１８】
本発明では、従来技術と違って光学式の読取装置を使用しないので、一枚の用紙に選択肢の他に質問の内容を一緒に印刷するも可能である。このため、質問番号とは違う回答欄に間違えて回答するおそれがない。
【００１９】
また、破断している一対の書込端子を鉛筆などで線を引いて繋げるだけで済むので、丁寧な塗りつぶし作業を強いられることもなく，記入や修正に時間がかからなくなる。
【００２０】
また、マークシートの読取端子を一端側の読取領域にまとめて配置できるので、各種の用紙の自由な位置に選択肢（回答欄）を配置することができる。さらには、用紙を折ったり、丸めたりすることも可能である。
【００２１】
また、上記課題を解決するため、本発明は読取装置に係り、上記したマークシートの前記読取端子に接続して情報を読み取る読取装置であって、筐体と、前記筐体の一方の面に露出して配置され、前記読取装置を前記マークシートに配置する際に、前記複数の読取端子に対応して接触する複数の電極と、前記筐体に設けられ、前記複数の電極に接続されて前記複数の読取端子の中の一対の前記読取端子の間の導通チェックを行う導通チェック部と、前記筐体に設けられ、前記導通チェック部で得られたデータを計算機に送信するデータ送信部とを有することを特徴とする。
【００２２】
本発明の読取装置の電極を上記したマークシートの読取端子に接触されて配置し、複数の読取端子の中の一対の読取端子の間で導通チェックを順次（又は同時に）行うことにより、各質問に対してどの選択肢を選択したかを容易に判断することができる。
【００２３】
本発明の好適な態様では、マークシートの一端側に配置された読取領域に読取装置が配置されるので、従来技術と違ってマークシート短辺と同一幅の読取装置を使用する必要はなく、読取領域に対応する大きさに小型化することができる。
【００２４】
また、マークシートが配置される支持板の一端にクリップ機能をもたせた読取装置を取り付け、マークシートを読取装置で挟んで固定することができる。このようにすることにより、回答中にマークシートのデータを読取装置で読み取り、計算機でデータ処理できるので、マークシートを使用して装置の組み立てなどの確認する際に、作業の途中でデータをフィードバックすることができる。
【発明の効果】
【００２５】
以上説明したように、各種の用紙に回答欄を自由に配置できると共に、マーキングが簡易となり、読取装置の小型化を図ることができる。
【図面の簡単な説明】
【００２６】
【図１】図１は従来技術のマークシートの一例を示す平面図である。
【図２】図２は本発明の実施形態のマークシートを示す平面図である。
【図３】図３は本発明の実施形態のマークシートにおいて回答Ａを選択した様子を示す部分平面図である。
【図４】図４は本発明の実施形態のマークシートにおける回答が５択又は７択の場合の配線接続の様子を示す平面図である。
【図５】図５は本発明の実施形態の読取装置を示す平面図である。
【図６】図６は図２のマークシートの読取領域に図５の読取装置を配置した様子を示す部分平面図である。
【図７】図７は読取装置のデータが計算機に送信される様子を示す図である。
【図８】図８は本発明の実施形態の変形例の読取装置を示す斜視図である。
【発明を実施するための形態】
【００２７】
以下、本発明の実施の形態について、添付の図面を参照して説明する。
【００２８】
図２は本発明の実施形態のマークシートを示す平面図である。図２に例示するように、本発明の実施形態のマークシート１０は質問付きの回答用紙であり、用紙２０に、６つの質問１〜６が印刷されており、各質問１〜６の下にそれぞれ回答欄１Ａ〜６Ａが印刷されている。各質問1〜６には３つの回答Ａ，Ｂ，Ｃ（選択肢）がそれぞれ用意されている。
【００２９】
質問１の回答欄１Ａに注目すると、各回答Ａ，Ｂ，Ｃの向かって左側には、分離された一対の書込端子ＷＴ１，ＷＴ２が縦方向にそれぞれ配置されている。回答Ａの上側の書込端子ＷＴ１は第２配線Ｗ２に繋がっており、第２配線Ｗ２は用紙２０の左端中央部に設けられた読取領域Ｒまで延在し、読取領域Ｒに第２配線Ｗ２の端部に繋がる読取端子ＲＴ２が配置されている。
【００３０】
また、回答Ａの下側の書込端子ＷＴ２は第３配線Ｗ３に繋がっており、第３配線Ｗ３は同様に用紙２０の読取領域Ｒまで延在し、読取領域Ｒに第３配線Ｗ３の端部に繋がる読取端子ＲＴ３が配置されている。
【００３１】
回答Ｂの上側の書込端子ＷＴ１は第１配線Ｗ１に繋がっており、第１配線Ｗ１は同様に用紙２０の読取領域Ｒまで延在し、読取領域Ｒに第１配線Ｗ１の端部に繋がる読取端子ＲＴ１が配置されている。
【００３２】
また、回答Ｂの下側の書込端子ＷＴ２は、回答Ａの上側の書込端子ＷＴ１に接続された第２配線Ｗ２に繋がっており、第２配線Ｗ２を介して読取領域Ｒの読取端子ＲＴ２に繋がっている。つまり、第２配線Ｗ２は回答Ａの上側の書込端子ＷＴ１と回答Ｂの下側の書込端子ＷＴ２に繋がる共通配線となっている。
【００３３】
さらに、回答Ｃの上側の書込端子ＷＴ１は回答Ｂの上側の書込端子ＷＴ１に接続された第１配線Ｗ１に繋がっており、第１配線Ｗ１を介して読取領域Ｒに配置された読取端子ＲＴ１に繋がっている。つまり、第１配線Ｗ１は回答Ｂ及び回答Ｃの上側の各書込端子ＷＴ１に繋がる共通配線となっている。
【００３４】
また、回答Ｃの下側の書込端子ＷＴ２は回答Ａの下側の書込端子ＷＴ２に接続された第３配線Ｗ３に繋がっており、第３配線Ｗ３を介して読取領域Ｒに配置された読取端子ＲＴ３に繋がっている。つまり、第３配線Ｗ３は回答Ａ及び回答Ｃの下側の各書込端子ＷＴ２に繋がる共通配線となっている。
【００３５】
質問２〜６の各回答欄２Ａ〜６Ａにおいても、各回答Ａ，Ｂ，Ｃの左側に同様な一対の書込端子がそれぞれ配置されており、各配線を介して読取領域Ｒに配置された読取端子に接続されている。質問２〜６の各回答欄２Ａ〜６Ａにおいても、書込端子、各配線及び読取端子の接続経路は基本的に同一であるのでその説明を省略する。
【００３６】
また、用紙２０の読取領域Ｒの上側には四角状の第１位置合わせマークＭ１が印刷されている。第１位置合わせマークＭ１は第４配線Ｗ４を介して読取端子ＲＴ１に接続されている。さらに、第１位置合わせマークＭ１から第５配線Ｗ５が読取領域Ｒの下側まで延在しており、その先端に導通チェック用端子ＣＴが配置されている。
【００３７】
また、用紙２０の読取領域Ｒの下側には下方向を指す矢印が印刷されており、この矢印が第２位置合わせマークＭ２となっている。
【００３８】
本実施形態のマークシート１０では、全ての記載が用紙２０にレーザプリンタで印刷され、印字自体が導電性を有するカーボンブラック（黒鉛質の微粒子）からなる。コスト的に有利なレーザプリンタを使用することが好ましいが、各種の方法で導電性物質を用紙２０に印刷して同様なマークシート１０を作成してもよい。
【００３９】
用紙２０としては、厚手の専用用紙を使用する必要はなく、薄くて柔らかい普通紙（一般紙）を使用することができる。
【００４０】
図２に図３を加えて参照すると、質問１において回答Ａを選択する場合は、回答Ａの上側の書込端子ＷＴ１と下側の書込端子ＷＴ２との間に鉛筆（筆記用具）の黒鉛芯で繋ぎ線Ｌを書き込むことにより、第２配線Ｗ２と第３配線Ｗ３を繋げる。
【００４１】
これにより、第２配線Ｗ２と第３配線Ｗ３とは導電性の鉛筆の黒鉛によって繋がって実質的に一本の導通した配線となる。鉛筆の他に黒鉛芯を突出させて記載するシャープペンシルなどの筆記用具を使用することができる。
【００４２】
従って、第２配線Ｗ２の読取端子ＲＴ２と第３配線Ｗ３の読取端子ＲＴ３との間で導通チェックすると、導通していることが確認できるので、回答者が質問１において回答Ａを選択したことを判断することができる。
【００４３】
また、回答者が回答Ｂを選択した場合は、同様に、第１配線Ｗ１の読取端子ＲＴ１と第２配線Ｗ２の読取端子ＲＴ２との間で導通することから、回答Ｂを選択したことを判断することができる。あるいは、回答者が回答Ｃを選択した場合は、第１配線Ｗ１の読取端子ＲＴ１と第３配線Ｗ３の読取端子ＲＴ３との間で導通することから、回答Ｃを選択したことを判断することができる。
【００４４】
本実施形態のマークシートでは、配線数を減らすために一本の配線を複数の書込端子に接続させて共通配線としている。
【００４５】
図２に例示したマークシート１０のように３つの選択肢（回答Ａ，Ｂ，Ｃ）がある場合は、共通配線を使用することにより、書込端子ＷＴ１，ＷＴ２の総数（６つ）より少ない３本の配線Ｗ１，Ｗ２，Ｗ３で構成することができる。
【００４６】
図４（ａ）に示すように、１つ質問に対して５つの選択肢（回答Ａ，Ｂ，Ｃ，Ｄ，Ｅ）がある場合は、共通配線を使用することにより、４本の配線Ｗ１〜Ｗ４で構成することが可能になる。第１配線Ｗ１は回答Ａ、回答Ｄ及び回答Ｅの上側の各書込端子ＷＴ１に接続される共通配線となっている。第２配線Ｗ２は、回答Ａの下側の書込端子ＷＴ２と回答Ｂの上側の書込端子ＷＴ１に接続される共通配線となっている。
【００４７】
第３配線Ｗ３は回答Ｂの下側の書込端子ＷＴ２、回答Ｃの上側の書込端子ＷＴ１及び回答Ｄの下側の書込端子ＷＴ２に接続される共通配線となっている。第４配線Ｗ４は、回答Ｃ及び回答Ｅの下側の各書込端子ＷＴ２に接続される共通配線となっている。
【００４８】
また、図４（ｂ）に示すように、１つの質問に対して７つの選択肢（回答Ａ，Ｂ，Ｃ，Ｄ，Ｅ，Ｆ，Ｇ）がある場合は、同様に共通配線を使用することにより、５本の配線Ｗ１〜Ｗ５で構成することが可能である。
【００４９】
第１配線Ｗ１は回答Ａと回答Ｇの上側の各書込端子ＷＴ１に接続される共通配線となっている。第２配線Ｗ２は、回答Ａの下側の書込端子ＷＴ１と、回答Ｂ、回答Ｅ及び回答Ｆの上側の各書込端子ＷＴ１に接続される共通配線となっている。
【００５０】
第３配線Ｗ３は、回答Ｂの下側の書込端子ＷＴ２及び回答Ｃの上側の書込端子ＷＴ１に接続される共通配線となっている。第４配線Ｗ４は、回答Ｃの下側の各書込端子ＷＴ２、回答Ｄの上側の書込端子ＷＴ１、及び回答Ｅの下側の書込端子ＷＴ２に接続される共通配線となっている。第５配線Ｗ５は、回答Ｄ、回答Ｆ及び回答Ｇの下側の各書込端子ＷＴ２に接続される共通配線となっている。
【００５１】
このように、共通配線を使用することにより、一対の書込端子ＷＴ１，ＷＴ２に対して１：１に対応するように２本の配線をそれぞれ独立させて接続する必要がないので、配線の数（読取端子の数）を書込端子の総数より少なくすることができる。
【００５２】
なお、選択肢が少ない場合や配線数が多くなっても差し支えない場合は、回答（選択肢）ごとに２本の配線を配置してもよいが、選択肢の数の２倍の配線数が必要になるため、共通配線を使用することが肝要である。
【００５３】
本実施形態のマークシート１０では、上記した原理によって以下に説明する読取装置を使用することにより、回答者が選択した回答をマークシートから容易に判断することができる。本実施形態のマークシート１０では、質問と回答欄を同一の用紙に印刷できるので、質問番号とは違う回答欄に間違えて回答するおそれがない。なお、質問と回答欄を別の用紙に分離して印刷しても差し支えない。
【００５４】
あるいは、質問の記載が回答欄に接触する場合は、質問の記載をインクジェットプリンタなどで導電性をもたないインクで重ねて印刷してもよい。つまり、本実施形態のマークシート１０では、少なくとも、書込端子ＷＴ１，ＷＴ２、配線（Ｗ１，Ｗ２、Ｗ３…）、及び読取端子（ＲＴ１…）が導電性物質から印刷されていればよい。
【００５５】
また、回答データはマークシート１０の一端側にまとめて配置された読取領域Ｒから読み取られるので、回答欄を自由な位置に配置することができる。
【００５６】
また、特殊な印刷装置や用紙を使用することなく、普通紙にレーザプリンタで印刷してマークシートを作成できるので、マークシートを低コストで製造することができる。なお、用途に応じて、厚手の用紙や特殊な大きさの用紙を使用することは特に制限されない。
【００５７】
また、回答欄（１Ａ，２Ａ…）の回答Ａ，Ｂ，Ｃを選択するときに、破断している一対の書込端子ＷＴ１，ＷＴ２を鉛筆で線を引いて繋げるだけで済むので、丁寧な塗りつぶし作業を強いられることもなく、記入や修正に時間がかからなくなり、マーキングが簡易になる。
【００５８】
また、本実施形態のマークシート１０では、寸法精度を要する読取領域Ｒの面積が従来技術より格段に小さいので用紙２０の伸縮やしわの影響を受けにくい。しかも、配線Ｗ１，Ｗ２，Ｗ３がレーザプリンタで印刷されて形成されるので、用紙２０を折ったり、丸めたりすることも可能である。
【００５９】
次に、前述したマークシートの回答結果を読み取るための読取装置について説明する。図５は本発明の実施形態の読取装置を示す模式図である。図５には本実施形態の読取装置の裏面側及び表面側の様子が描かれている。
【００６０】
図５に示すように、本実施形態の読取装置３０では、筐体３２の裏面側には、前述したマークシート１０の読取領域Ｒの複数の読取端子（ＲＴ１，ＲＴ２，ＲＴ３…）に対応する複数の電極３４が並んで設けられている。また、読取装置３０は複数の電極３４と電気的に接続された導通チェック部３６を備えている。
【００６１】
後述するように読取装置３０をマークシート１０の読取領域Ｒに配置する際に、導通チェック部３６によって、複数の電極３４の中の一対の電極３４の間で導通しているかオープンとなっているかの導通チェックが行われる。
【００６２】
さらに、読取装置３０は、導通チェック部３６で判断した一対の電極３４の間の導通チェックの各データを集計して計算機(データ処理システム)に送信するためのデータ送信部３８を備えている。
【００６３】
さらに、読取装置３０の一端側には前述したマークシート１０の導通チェック用端子ＣＴに対応する導通チェック用電極４０が設けられている。導通チェック用電極４０は導通チェック部３６に接続されている。後述するように読取装置３０をマークシート１０の読取領域Ｒに配置する際に、最上の電極３４と導通チェック電極４０との間で導通チェックが行われる。
【００６４】
また、読取装置３０の表面側の導通チェック用電極４０の近傍にはインジケータ４２が設けられている。後述するように読取装置３０がマークシート１０の読取領域Ｒに位置合わせされて配置されると、読取装置３０の最上の電極３４と導通チェック用電極４０との間で導通するようになっている。これにより、読取装置３０のインジケータ４２が点灯して読取装置３０の電極３４がマークシート１０の読取端子（ＲＴ１…）に電気接続していることを確認できるようになっている。
【００６５】
さらに、読取装置３０の表面側のインジケータ４２側の端部には、マークシート１０の第２位置合わせマークＭ２（矢印）に対応する第３位置合わせマークＭ３が設けられている。
【００６６】
そして、図６に示すように、図５の読取装置３０をその電極３４を下側に向けた状態で、前述したマークシート１０の読取領域Ｒに配置する。図６では、説明を容易にするため、読取装置３０を透視的に示しており、導通チェック部３６及びデータ送信部３８が省略されて描かれている。
【００６７】
このとき、読取装置３０の一端側（上側）の右隅部がマークシート１０の第１位置合わせマークＭ１に一致するように位置合わせされる。これと同時に、読取装置３０の他端側（下側）の表面に設けられた第３位置合わせマークＭ３がマークシートの第２位置合わせマークＭ２に一致するように位置合わせされる。
【００６８】
これにより、読取装置３０の複数の電極３４がマークシート１０の読取端子（ＲＴ１…）の上にそれぞれ接触して配置される。また、読取装置３０の導通チェック用電極４０がマークシート１０の導通チェック用端子ＣＴに接触して配置される。
【００６９】
このとき、マークシート１０の最上の読取端子ＲＴ１と導通チェック用端子ＣＴとの間で導通がとれているかどうかを読取装置３０の導通チェック部３６でチェックし、導通がとれているときに読取装置３０のインジケータ４２が点灯するようになっている。
【００７０】
マークシート１０の最上の読取端子ＲＴ１は第４配線Ｗ４、第１位置合わせマークＭ１及び第５配線Ｗ５を介して導通チェック用端子ＣＴに電気接続されている。従って、読取装置３０の最上の電極３４がマークシート１０の最上の読取端子ＲＴ１に接触し、読取装置３０の最下の導通チェック用電極４２がマークシート１０の最下の導通チェック用端子ＣＴに接触していれば、それらの間で電流が流れるようになっている。
【００７１】
インジケータ４２の点灯によって、読取装置３０が位置ずれすることなくマークシート１０の読取領域Ｒに配置されたことを確認することができる。
【００７２】
読取装置３０の複数の電極３４のピッチは、マークシート１０の複数の読取端子（ＲＴ１…）のピッチと一致しており、読取装置３０は位置合わせマークＭ１，Ｍ２，Ｍ３を使用して位置合わせされて配置される。このため、読取装置３０のインジケータ４２の点灯によって、読取装置３０の複数の電極３４がマークシート１０の複数の読取端子（ＲＴ１…）にそれぞれ接触しているとみなすことができる。
【００７３】
図６の例では、マークシート１０の読取端子（ＲＴ１…）と読取装置３０の電極３４とが同一個数で並んで配置されている。マークシート１０の読取端子（ＲＴ１…）及び読取装置３０の電極３４の大きさやピッチを標準化しておくことにより、読取装置３０を複数の異なるマークシートで共有することができる。
【００７４】
読取装置３０の電極３４の数を最大数の読取端子を有するマークシートに対応できるように設定しておくことにより、読取端子（ＲＴ１…）の数が異なる各種のマークシートに適用できる。
【００７５】
このようにしてマークシート１０の読取領域Ｒに配置された読取装置３０は、マークシート１０の複数の読取端子（ＲＴ１…）の中から一対の読取端子（ＲＴ１…）の導通チェックを順次（又は同時に）行っていく。
【００７６】
前述したように、例えば、マークシート１０の質問１において回答Ａを選択した場合は、導通チェック部３６によって読取端子ＲＴ２と読取端子ＲＴ３との間で導通がとられていることが判断され、読取端子ＲＴ１と読取端子ＲＴ２及び読取端子ＲＴ１と読取端子ＲＴ３ではそれぞれオープンであることが確認される。他の質問についても同様に一対の読取端子の間の導通チェックが順次（又は同時に）行われていく。
【００７７】
読取装置３０では、マークシート１０の一対の読取端子（ＲＴ１…）の各導通チェックデータがデータ送信部３８に送信されて格納される。そして、図７に示すように、読取装置３０のデータ送信部３８から導通チェックのデータがパソコンなどの計算機５０（データ処理システム）に送信される。
【００７８】
読取装置３０と計算機５０との接続はケーブルで行ってもよいし、あるいは無線で行ってもよい。ケーブルで接続する場合は、計算機５０側から電源が読取装置３０に供給される。また、無線方式を採用する場合は、読取装置３０にバッテリーが備えられ、例えば、近距離無線通信技術（Bluetooth）が採用される。
【００７９】
計算機５０には、マークシート１０の一対の読取端子（ＲＴ１…）がどの質問のどの選択肢（回答）に対応するかのデータが予め格納されており、これに基づいてデータが処理されて各質問に対する回答の集計結果が得られる。
【００８０】
図８（ａ）及び（ｂ）には、本実施形態の変形例の読取装置３０ａが示されている。図８（ａ）に示すように、変形例の読取装置３０ａは、マークシート１０を配置できる大きさの支持板６０の一端に取り付けられており、クリップ機能を有している。そして、図８（ｂ）に示すように、支持板６０に配置されたマークシート１０の読取領域が読取装置３０ａによって挟まれて固定される。つまり、クリップボードのクリップ部を読取装置３０ａにして読取装置３０ａでマークシート１０を挟んで固定するようにする。
【００８１】
本実施形態マークシート１０では、回答欄（１Ａ…）と読取領域Ｒが離れているので、読取領域Ｒのみに読取装置３０ａが固定される。従って、読取装置３０ａをマークシート１０に固定しても回答欄（１Ａ…）が露出しているので、回答を書込みながらそのデータを読取装置３０ａで読み取ることができる。
【００８２】
次に、本実施形態のマークシートを装置設計や装置を組み立てる際に使用されるチェックシートに適用する例について説明する。
【００８３】
装置設計や装置組み立てなどの確認を行う際、チェックシートを用いて確認漏れを防止したり、最終仕様としてまとめることがある。このような作業を行う場合、確認事項が多く、かつチェックシートの項目の順序と実際の確認作業の順序が一致しないことが多い。このような場合は、パソコンのディスプレイに表示されたチェック項目にカーソルを合わせてチェックするような操作よりも紙のチェックシートを用いる方が多くの項目を同時に見渡せるので効率がよい。
【００８４】
しかしながら、チェック結果や最終仕様を残しておくには、データベースに登録しておく方が再利用しやすい。このため、紙に書いた内容を後に計算機に入力する必要がある。
【００８５】
本実施形態のマークシートでは、従来技術のマークシートと違って、確認項目（質問内容）、チェック欄（回答欄）、及び仕様選択欄などを併せて一枚の用紙にレイアウトできるので、チェックシートとして機能できると共に、計算機への入力を自動化することができる。
【００８６】
また、本実施形態のマークシートでは、前述した変形例の読取装置３０ａを使用することにより、回答中に途中経過のデータをチェックシートから読取装置で容易に読み取ることができる。
【００８７】
従って、チェックシートが何ページにもなるような場合、１枚目のチェックシートの回答結果を計算機に入力し、その回答結果に基づいて次に必要なチェック内容を２枚目のチェックシートとしてレーザプリンタから出力させることも可能である。
【００８８】
このような手法を採用することにより、必要な確認事項だけのチェックシートにすることができるので、ページ数を減らすことができると共に、効率のよい確認作業を行うことができる。
【００８９】
さらには、回答中に途中経過のデータをチェックシートから読取装置で読み取れるので、致命的な不良が確認された場合にブザーを鳴らすなどしてその後の確認作業を止めさせる確認作業の支援を行うことも可能になる。
【００９０】
また、読取装置と計算機とを無線で接続する場合は、作業者が移動しなから確認作業を行うことができるので、計算機から離れた場所の複数の装置のチェックを容易に行うことができる。
【００９１】
また、本実施形態のマークシートは、複写式帳票又はカタログ注文の用紙などにも好適に適用できる。
【００９２】
複写式帳票に適用する場合は、複写式帳票の１ページ目を本実施形態のマークシートから形成する。複写式帳票は手書きで記載されるため、計算機への入力が必要である。本実施形態のマークシートは、従来技術と違って薄い用紙を採用できるため、それを複写式帳票の１ページ目に使用することができる。複写された２ページ目を控えとして残し、１ページ目を前述した方法によって読取装置を介して計算機に自動入力する。
【００９３】
複写式帳票としては、配送伝票、申込書、契約書などの各種の用途に適用することができる。
【００９４】
また、カタログの各商品が印刷される位置に注文情報（個数、色、サイズなど）を指定する回答欄を前述したようにレーザプリンタで印刷し、商品説明などをカラーオフセット印刷などで印刷する。カラーインクは導電性をもたないので、商品説明と注文情報がオーバーラップしても構わない。
【００９５】
このようにして、カタログに直接、注文情報を記載することができる。注文情報を記載したカタログを売主に郵送し、売主が読取装置及び計算機によって注文、発送を管理する。本実施形態のマークシートは、用紙を薄くでき、折じわがあっても差し支えないので、カタログを新聞の折込チラシとして配布することも可能である。
【００９６】
本発明のマークシートは、前述した用途ばかりではなく、各種の用途に適用することができる。
【符号の説明】
【００９７】
１０…マークシート、２０…用紙、３０，３０ａ…読取装置、３２…筐体、３４…電極、３６…導通チェック部、３８…データ送信部、４０…導通チェック用電極、４２…インジケータ、５０…計算機、６０…支持板、１Ａ〜６Ａ…回答欄、ＷＴ１，ＷＴ２…書込端子、ＲＴ１，ＲＴ２，ＲＴ３…読取端子、Ｌ…繋ぎ線、Ｍ１，Ｍ２，Ｍ３…位置合わせマーク、Ｒ…読取領域、Ｗ１，Ｗ２，Ｗ３，Ｗ４，Ｗ５…配線、ＣＴ…導通チェック用端子。
【図１】
2010176463.tif 000003
【図２】
2010176463.tif 000004
【図３】
2010176463.tif 000005
【図４】
2010176463.tif 000006
【図５】
2010176463.tif 000007
【図６】
2010176463.tif 000008
【図７】
2010176463.tif 000009
【図８】
2010176463.tif 000010